(57)【要約】      （修正有）【課題】ストラップと簡単な袋状のケースを組み合わせることで、おしゃぶりの落下を防止するだけでなく、使用していないおしゃぶりを清潔に保つことができるおしゃぶりカバーを提供する。【解決手段】フレキシブルな素材から成り、おしゃぶりＰを覆い隠す程度の容積を有し、一部に該おしゃぶりＰを出し入れできる開口部５を設けた袋状に形成した袋状本体２と、一端におしゃぶりＰを着脱自在に取り付け、他端にクリップ３を有するストラップ４と、から成り、ストラップ４を、袋状本体２にその開口部５と反対の位置に開けた挿通孔に挿通し得るように構成する。【選択図】図４
0003152185.tif 000002
【実用新案登録請求の範囲】
【請求項１】
乳幼児がしゃぶるおしゃぶり（Ｐ）の落下を防止すると共に、埃、汚れから保護するおしゃぶり用カバー（１）であって、
フレキシブルな素材から成り、おしゃぶり（Ｐ）を覆い隠す程度の容積を有し、一部に該おしゃぶり（Ｐ）を出し入れできる開口部（５）を有する袋状に形成した袋状本体（２）と、
一端におしゃぶり（Ｐ）を着脱自在に取り付け、他端にクリップ（３）を有するストラップ（４）と、から成り、
前記ストラップ（４）を、前記袋状本体（２）にその開口部（５）と反対の位置に開けた挿通孔（６）に挿通し得るように構成した、ことを特徴とするおしゃぶり用カバー。
【請求項２】
前記袋状本体（２）は、２枚のタオル生地を縫い合わせて袋状に形成したものである、ことを特徴とする請求項１のおしゃぶり用カバー。
【請求項３】
前記袋状本体（２）は、少なくとも１面に、図柄（７）、文字、又は画像を表示・描画したものである、ことを特徴とする請求項１又は２のおしゃぶり用カバー。
【考案の詳細な説明】
【技術分野】
【０００１】
本考案は、乳幼児がしゃぶる乳首状のおしゃぶりの落下を防止すると共に、これをしゃぶっていないときに、埃、汚れが付着しないように保護するおしゃぶり用カバーに関する。
【背景技術】
【０００２】
おしゃぶりは乳幼児が口に入れるのもので衛生的に取り扱う必要がある。おしゃぶりは、乳幼児の口から外れやすく、またよだれが付着しているために、落下して埃、汚れが付着しやすく、また紛失もしやすい。そこで、従来より落下防止のためにストラップが用いられている。このストラップは、その一端におしゃぶりを取り付け、ストラップの他端に乳幼児の衣服やよだれ掛け等に着脱自在に掛け止めるクリップが取り付けられたものである。
【０００３】
このようなおしゃぶり等を保持するホルダーに関する技術としては、例えば特許文献１の特願２００５−９１０８９号公報「ストラップ付きおしゃぶりホルダー」のように、ストラップ基端に固定具を備え、前記基端とストラップ先端の間にマスコットを具備し、ストラップ先端近辺におしゃぶりを掛止可能なストラップ付きおしゃぶりホルダーであり、前記マスコットは柔軟な素材製であって、中空状であり且つ開口部を有し、前記開口部内側若しくは外側周辺に、おしゃぶりを収納・取出し自在な開口部を有するおしゃぶり収納袋が取付けられており、前記収納袋は、布若しくはネットで形成されており、前記マスコットの開口部を通して、前記中空部内外に収納・取出し自在なストラップ付きおしゃぶりホルダーが提案されている。
【特許文献１】特願２００５−９１０８９号公報
【考案の開示】
【考案が解決しようとする課題】
【０００４】
特許文献１の「ストラップ付きおしゃぶりホルダー」は、マスコットとおしゃぶり収納袋とが別体構造であり、ストラップがマスコットと分断されていることに特徴を有する。このような別体構造では、部品点数が多く、重たくなりやすいという問題があった。
【０００５】
また、特許文献１の「ストラップ付きおしゃぶりホルダー」は、おしゃぶり収納袋の開口部を閉鎖・開口自在にするために、この開口部周辺に紐、ゴムバンド、弾性繊維、スナップボタン、ファスナー若しくは面ファスナーを設けているので、製造工程が複雑になりやすいという問題もあった。
【０００６】
本考案は、かかる問題点を解決するために創案されたものである。すなわち、本考案の目的は、ストラップと簡単な袋状のケースを組み合わせることで、おしゃぶりの落下を防止するだけでなく、使用していないおしゃぶりを清潔に保つことができるおしゃぶり用カバーを提供することにある。
【課題を解決するための手段】
【０００７】
本考案によれば、乳幼児がしゃぶるおしゃぶり（Ｐ）の落下を防止すると共に、埃、汚れから保護するおしゃぶり用カバー（１）であって、フレキシブルな素材から成り、おしゃぶり（Ｐ）を覆い隠す程度の容積を有し、一部に該おしゃぶり（Ｐ）を出し入れできる開口部（５）を有する袋状に形成した袋状本体（２）と、一端におしゃぶり（Ｐ）を着脱自在に取り付け、他端にクリップ（３）を有するストラップ（４）と、から成り、前記ストラップ（４）を、前記袋状本体（２）にその開口部（５）と反対の位置に開けた挿通孔（６）に挿通し得るように構成した、ことを特徴とするおしゃぶり用カバーが提供される。
【０００８】
例えば、前記袋状本体（２）は、２枚のタオル生地を縫い合わせて袋状に形成したものである。
また、前記袋状本体（２）は、少なくとも１面に、図柄（７）、文字、又は画像を表示・描画描画することができる。
【考案の効果】
【０００９】
本考案の構成では、ストラップ（４）を、そのクリップ（３）が外部に位置するように袋状本体（２）の挿通孔（６）に先端部（４ａ）から通し、袋状本体（２）の開口部（５）から外部に引き出したストラップ（４）の先端部（４ａ）におしゃぶり（Ｐ）を取り付ける。ストラップ（４）のクリップ（３）は、例えば乳幼児の衣服に掛け止める。この状態で、おしゃぶり（Ｐ）を乳幼児にしゃぶらせる。乳幼児がおしゃぶり（Ｐ）を口から外しても、ストラップ（４）でつながれているので、床面、地面まで落下せず、埃、土が付着しないので衛生的である。
【００１０】
一方、乳幼児がおしゃぶり（Ｐ）をしゃぶっていないときは、おしゃぶり（Ｐ）が隠れる位置まで袋状本体（２）をずらす。このときは、袋状本体（２）を持ちながらストラップ（４）のクリップ（３）を引くようにするだけで、おしゃぶり（Ｐ）を収納することができ、おしゃぶり（Ｐ）が汚れない。また、このおしゃぶり用カバー（１）の袋状本体（２）は、ストラップ（４）とは分離して個別に洗濯でき、袋状本体（２）を衛生的に保つことができる。
【考案を実施するための最良の形態】
【００１１】
本考案のおしゃぶり用カバーは、おしゃぶりの落下を防止するだけでなく、使用していない時に、おしゃぶりを清潔に保つために、ストラップと袋状本体を組み合わせたものである。
【実施例１】
【００１２】
本考案の実施例について図面を用いて説明する。
図１は本考案のおしゃぶり用カバーを示す分解斜視図である。図２は本考案のおしゃぶり用カバーを示す斜視図である。図３は本考案のおしゃぶり用カバーを示すものであり、(ａ)は正面図、（ｂ）は背面図である。
本考案のおしゃぶり用カバー１は、おしゃぶりＰを収納する袋状本体２と、クリップ３を有するストラップ４とから成る。このストラップ４は、袋状本体２に、その開口部５と反対の位置に開けた挿通孔６に、その先端部４ａから挿通して挿抜自在に取り付ける。
【００１３】
袋状本体２は、フレキシブルな素材から成る。例えば、略四角形状のタオル生地を２枚重ね、３辺を縫製したものである。図示例では縫製した周囲を布地で覆っている。袋状本体２は、フレキシブルな素材であれば、このタオル生地に限定されず、不織布その他の布地を用いることができる。あるいは網材から成る袋状本体２を用いることもできる。更に、合成樹脂製のシート材を用いることも可能である。洗濯することができ、又は汚れを簡単に拭き取れる材質のものが適している。
【００１４】
袋状本体２は、おしゃぶりＰを覆い隠す程度の容積を有し、一部におしゃぶりＰを出し入れできる開口部５を有する。図１、図２の図示例では、袋状本体２の下辺に開口部５を有している。この開口部５には、埃の侵入を防止するために、開口部５の周縁にゴム紐等を縫い付けることができる（図示していない）。
【００１５】
袋状本体２には、ストラップ４を先端部４ａから挿通する挿通孔６を開けている。この挿通孔６は袋状本体２の開口部５と反対の位置に開けた。このように挿通孔６を開口部５と反対の位置に開けることにより、おしゃぶりＰを掛け止めた状態のストラップ４を挿通孔６で引っ張るだけで、容易におしゃぶりＰを袋状本体２内に開口部５から入れて収納することができる（図４（ｂ）参照）。また、袋状本体２の挿通孔６が上部にあると、おしゃぶりＰを袋状本体２内に収納した状態で、開口部５が下向きになり、この開口部５から埃が入りづらくなる。
【００１６】
ストラップ４は、布製のテープから成りその一端（先端部４ａ）がおしゃぶりＰを着脱自在に取り付ける部分になる。例えば、おしゃぶりＰを構成するリングＰ１に取り付ける。なお、おしゃぶりＰを取り付ける手段は図示例に限定されない。
【００１７】
ストラップ４のテープの他端にクリップ３を有する。このクリップ３を乳幼児の衣服やよだれ掛け、その他のものに掛け止める。これにより、おしゃぶり用カバー１は元よりおしゃぶりＰの落下を防止する。
【００１８】
図４は本考案のおしゃぶり用カバーの使用状態を示す背面図であり、（ａ)はおしゃぶりを使用する状態、（ｂ）はおしゃぶりを袋状本体内に収納している状態である。
本考案のおしゃぶり用カバー１の使用状態を説明する。先ず図４（ａ）に示すように、ストラップ４を、そのクリップ３が外部に位置するように袋状本体２の挿通孔６に先端部４ａから通す。次に、袋状本体２の開口部５から外部に引き出したストラップ４の先端におしゃぶりＰを取り付ける。この状態でストラップ４のクリップ３を乳幼児の衣服に掛け止め、おしゃぶりＰを乳幼児にしゃぶらせる。乳幼児がおしゃぶりＰを口から外しても、ストラップ４でつながれているので、床面、地面まで落下せず埃、土が付着しない。
【００１９】
次に、図４（ｂ）に示すように、乳幼児がおしゃぶりＰをしゃぶっていないときは、おしゃぶりＰが隠れる位置まで袋状本体２をずらし、おしゃぶりＰが汚れないようにする。また、このおしゃぶり用カバー１の袋状本体２は、ストラップ４とは分離して個別に洗濯できるので、袋状本体２を衛生的に保つことができる。
【００２０】
図５は本考案のおしゃぶり用カバーの袋状本体の１面に、図柄、文字、又は画像を表示・描画した状態を示す正面図であり、（ａ)は哺乳瓶、（ｂ）は乳幼児の泣き顔、（ｃ）はりんごを表現したものである。
袋状本体２は、その少なくとも表面の１面又は表裏面の２面に、図柄７、文字、又は画像を表示・描画することができる。ここで、図柄７とは、イラスト、模様等をいう。文字とは、乳幼児の名前、ニックネーム等をいう。また画像とは、乳幼児の写真等の絵柄等をいう。例えば、デジタルカメラで撮像したものがある。なお、これらの例示以外の文字、図柄又は画像を表示・描画することができる。
【００２１】
なお、本考案のおしゃぶり用カバ１は、ストラップ４と簡単な構成の袋状本体２を組み合わせることで、おしゃぶりＰの落下を防止するだけでなく、使用していないおしゃぶりＰを清潔に収納できる構造であれば、上述した考案の実施の形態に限定されず、本考案の要旨を逸脱しない範囲で種々変更できることは勿論である。
【産業上の利用可能性】
【００２２】
本考案のおしゃぶり用カバーは、おしゃぶりＰに限定されず。乳幼児が口に入れる物、例えば、笛、楽器、その他の口に入れる玩具類に利用することができる。
【図面の簡単な説明】
【００２３】
【図１】本考案のおしゃぶり用カバーを示す分解斜視図である。
【図２】本考案のおしゃぶり用カバーを示す斜視図である。
【図３】本考案のおしゃぶり用カバーを示すものであり、(ａ)は正面図、（ｂ）は背面図である。
【図４】本考案のおしゃぶり用カバーの使用状態を示す背面図であり、（ａ)はおしゃぶりを使用する状態、（ｂ）はおしゃぶりを袋状本体内に収納している状態である。
【図５】本考案のおしゃぶり用カバーの袋状本体の１面に、図柄、文字、又は画像を表示・描画した状態を示す正面図であり、（ａ)は哺乳瓶、（ｂ）は乳幼児の泣き顔、（ｃ）はりんごを表現したものである。
【符号の説明】
【００２４】
１  おしゃぶり用カバー
２  袋状本体
３  クリップ
４  ストラップ
５  開口部
６  挿通孔
７  図柄
Ｐ  おしゃぶり
【図１】
0003152185.tif 000003
【図２】
0003152185.tif 000004
【図３】
0003152185.tif 000005
【図４】
0003152185.tif 000006
【図５】
0003152185.tif 000007